(57)【要約】【課題】被試験物に光を照射するランプを備えた環境試験装置を改良し、ランプが故障しにくい環境試験装置を提供することを課題とする。【解決手段】試験室５と、被試験物１８に光を照射するランプ３１を有し、被試験物１８を所望の環境下において被試験物１８の表面に光を照射する機能を備えた環境試験装置１である。試験室５から隔離された冷却室２０がある。ランプ３１の少なくとも給電部が冷却室２０内に配置され、ランプ３１の少なくともバルブの先端面は冷却室外にあって試験室５内に露出している。【選択図】図１
2018194338.tif 000002
【特許請求の範囲】
【請求項１】
内部に所望の環境を創出可能であり被試験物が載置される試験室と、被試験物に光を照射するランプを有し、被試験物を所望の環境下において被試験物の表面に光を照射する機能を備えた環境試験装置において、
試験室から隔離された冷却室があり、
前記ランプは、給電部と、バルブを有し、給電部からバルブ内に給電して発光させ、少なくともバルブの先端面から光を放出するものであり、
前記ランプの少なくとも給電部が冷却室内に配置され、前記ランプの少なくともバルブの先端面は冷却室外にあって試験室内に露出していることを特徴とする環境試験装置。
【請求項２】
ランプは赤外線ランプであり、被試験物の表面に赤外光を照射して被試験物表面の温度を上昇させる機能を備えた環境試験装置であって、
ランプは給電部が形成された口金部を有し、少なくとも口金部が冷却室内に配置されていることを特徴とする請求項１に記載の環境試験装置。
【請求項３】
冷却手段を有し、冷却室が冷却手段によって冷却されることを特徴とする請求項１又は２に記載の環境試験装置。
【請求項４】
冷却手段は換気手段を有し、当該換気手段によって冷却室内の空気が置換されて冷却室内が冷却されることを特徴とする請求項３に記載の環境試験装置。
【請求項５】
冷却室外に冷却手段があり、冷却室と冷却手段が環状に連結され、冷却室と冷却手段の間で空気が循環することを特徴とする請求項１乃至４のいずれかに記載の環境試験装置。
【請求項６】
ランプの点灯時に冷却室内が冷却手段によって冷却されることを特徴とする請求項１乃至５のいずれかに記載の環境試験装置。
【請求項７】
冷却室内の圧力は、試験室内の圧力に対して正圧であることを特徴とする請求項１乃至６のいずれかに記載の環境試験装置。
【請求項８】
ランプは給電部に口金部があり、バルブの形状は、口金部の径が小さく、先端側がしだいに拡径して膨出部を構成し、バルブの先端面が発光面となっており、
冷却室の試験室側にはランプを装着する開口があり、当該開口にはランプのバルブの側面と接する封止部材があり、冷却室内であって前記開口の奥には口金部と嵌合するソケットが設けられており、
ランプの口金部側を試験室側から前記開口に挿入してソケットに口金部を嵌合してランプを冷却室に取り付け可能であり、
ランプが取り付けられた状態においては、ランプのバルブの側面が封止部材と密接してバルブと開口の隙間が封鎖されることを特徴とする請求項１乃至７のいずれかに記載の環境試験装置。
【請求項９】
試験室に対して独立した筐体を有し、前記筐体内に前記冷却室が設けられており、前記筐体が試験室内に配置されていることを特徴とする請求項１乃至８のいずれかに記載の環境試験装置。
【請求項１０】
環境試験装置の試験室内に配され、試験室内の被試験物に光を照射するランプユニットであって、
筐体と、ランプを有し、
前記筐体内に冷却室があり、
前記ランプは、給電部と、バルブを有し、給電部からバルブ内に給電して発光させ、少なくともバルブの先端面から光を放出するものであり、
前記ランプの少なくとも給電部が冷却室内に配置され、前記ランプの少なくともバルブの先端面は冷却室外に露出していることを特徴とするランプユニット。
【発明の詳細な説明】
【技術分野】
【０００１】
本発明は、被試験物を所定の環境下に置いて試験を行う環境試験装置に関するものである。本発明は、特に被試験物の表面に光を照射する機能を備えた環境試験装置に関するものである。
また本発明は、環境試験装置の試験室内に配置し、被試験物の表面に光を照射するランプユニットに関するものである。
【背景技術】
【０００２】
製品や素材等の性能や耐久性等を調べる方法の一つに環境試験がある。環境試験の一つとして、被試験物が置かれる環境を人工的に再現し、その環境下に被試験物を晒す試験がある。
例えば炎天下に駐車した自動車内の環境を再現し、自動車内装品や携帯電話その他の被試験物をその環境下において、被試験物の変化を知りたいという市場の要求がある。
車窓を閉じた状態で炎天下に自動車を駐車すると、車内の温度は、摂氏８０度程度に上昇する。またインストルメントパネルやコンソールボックス等の自動車内装品は、直射日光を受けて摂氏１２０度程度に温度が上昇する。
【０００３】
この様な自動車内の環境を再現する環境試験装置が、特許文献１、２に開示されている。
特許文献１、２に開示された環境試験装置は、いずれも被試験物に光を照射するランプを備えたものである。
特許文献１に開示された環境試験装置は、試験室の上部にガラスで仕切られたランプ室があり、当該ランプ室内にランプの全体が収容されている。
また特許文献１に開示された環境試験装置では、ランプを冷却する送風冷却装置を有している。特許文献１に開示された環境試験装置では、直管状のランプが採用されている。
特許文献１に開示された環境試験装置では、ランプの全体がランプ室の中にあり、ランプが発する光は、ガラス越しに試験室内に照射される。
【０００４】
これに対して特許文献２に開示された環境試験装置は、試験室の上部にランプが設置されている。特許文献２では、複数のランプがあり、これをランプバンクと称している。
特許文献２に開示された環境試験装置では、ランプから発生する熱を冷却するための冷却装置を含む温度調節部を有している。さらに特許文献２に開示された環境試験装置では、ランプバンクと同じ平面上の位置に多孔板が設置されており、ランプバンクより高い位置から放出された冷気が、ランプバンクに達する前に試験室の床に降下することを防いでいる。
【０００５】
特許文献２に開示された環境試験装置が採用する温度調節部は、試験室内の温度を調節するものである。
また特許文献２に開示された環境試験装置では、ランプはその全体が試験室内に設置されている。多孔板は、一定の冷気が、ランプ側に流れる様に誘導するものである。
特許文献２に開示された環境試験装置では、温度調節部で冷却された冷気は、試験室内に導入され、その多くが多孔板を通過して降下する。また一定量の冷気は、ランプバンクを通過して降下する。
特許文献２の構成によると、冷気の一部がランプの周囲を通過して降下するので、ランプを冷やすことができる。
【先行技術文献】
【特許文献】
【０００６】
【特許文献１】特開平４−３６９４６５号公報
【特許文献２】特開２００６−２１５０１５号公報
【発明の概要】
【発明が解決しようとする課題】
【０００７】
自動車内の環境を再現する環境試験装置は、直射日光を再現するためのランプが必須である。また自動車内の環境を再現する環境試験装置は、高温環境を作る必要がある。
ここで高温環境下にランプを置いて発光させると、ランプの寿命が短くなる傾向がある。例えばフィラメントを赤熱させる構造のランプにおいては、寿命は、一般にフィラメントの寿命で決まると言われている。
即ちフィラメントが赤熱することによって、フィラメントが昇華し、細くなって行く。そして遂にはフィラメントが断線し、寿命に至る。
ランプが高温にさらされるとフィラメントの昇華が進み、寿命が短くなる。
【０００８】
特許文献１に開示された環境試験装置は、棒状のランプを使用するものであり、フィラメントを有するか否かは定かではないが、ランプの寿命を伸ばす効果があると予想される。
しかしながら、特許文献１に開示された環境試験装置は、試験室から隔離されたランプ室内に、ランプの全体が収容されているものであるから、ランプが切れた際の交換が困難である。
また特許文献１に開示された環境試験装置では、ランプを全体的に冷却するので、ランプの発熱量に相当する熱を奪う必要がある。そのため特許文献１に開示された環境試験装置では、冷却装置として相当に大きな容量を持ったものを採用する必要がある。
【０００９】
これに対して特許文献２に開示された環境試験装置は、試験室の中にランプがある。そして冷気の一部は、ランプの部分を通過して被試験物側に流れる。
ここで自動車の車内の環境を再現するためには、試験室内を摂氏８０度程度に維持する必要がある。特許文献２に開示された環境試験装置では、冷却装置は、試験室内の温度が過度に上昇してしまうことを防ぐことを主たる目的とするものであり、その冷気の一部をランプ側に流すものに過ぎない。
そのため特許文献２の構成によると、ランプを効果的に冷却できるのか疑問である。またランプを十分に冷却するためには、相当量の冷気をランプに供給する必要があり、そうすると試験室内の温度を高温に維持することができなくなってしまう可能性がある。
さらに特許文献２に開示された環境試験装置では、特許文献１と同様に、冷却装置として相当に大きな容量を持ったものを採用する必要がある。
【００１０】
本発明は、従来技術の上記した問題点に注目し、被試験物に光を照射するランプを備えた環境試験装置を改良し、ランプが故障しにくい環境試験装置を提供することを課題とするものである。
また本発明は、同様の課題を解決することができるランプユニットを提供することを課題とするものである。
【課題を解決するための手段】
【００１１】
本出願人は、自動車内の環境を再現する環境試験装置を試作した。試作した環境試験装置では、ランプ全体を試験室の中に設置した。試作した環境試験装置は、試験条件によっては、ランプが早期に故障する場合があり、頻繁に取り替える必要があった。
【００１２】
本発明者らは、ランプの温度が昇降する際に、バルブと導電線との熱膨張率の相違からバルブの電線導入部に微細な隙間が生じ、微細な隙間から試験室の空気が侵入し、ランプの故障につながる場合があると考えた。
【００１３】
上記した知見に基づいて開発された請求項１に記載の発明は、内部に所望の環境を創出可能であり被試験物が載置される試験室と、被試験物に光を照射するランプを有し、被試験物を所望の環境下において被試験物の表面に光を照射する機能を備えた環境試験装置において、試験室から隔離された冷却室があり、前記ランプは、給電部と、バルブを有し、給電部からバルブ内に給電して発光させ、少なくともバルブの先端面から光を放出するものであり、前記ランプの少なくとも給電部が冷却室内に配置され、前記ランプの少なくともバルブの先端面は冷却室外にあって試験室内に露出していることを特徴とする環境試験装置である。
【００１４】
ここで「光」とは赤外光、可視光、紫外光を含む概念である。
ランプは、赤外線ランプの様に、フィラメントが封入されたバルブを有し、給電部からフィラメントに給電してフィラメントを発光させるものであることが望ましいが、放電を利用するものであってもよい。
本発明の環境試験装置では、冷却室があり、冷却室は試験室から隔離されている。「試験室から隔離」とは、試験室内で冷却室が試験エリアから隔離されるものでもよい。
本発明の環境試験装置では、ランプの少なくとも給電部が冷却室内に配置されていて、バルブの電線導入部は、冷却室内にあり、試験室の温度の影響を受けにくい。そのため電線導入部に隙間は生じにくく、ランプが故障しにくくなる。
【００１５】
請求項２に記載の発明は、ランプは赤外線ランプであり、被試験物の表面に赤外光を照射して被試験物表面の温度を上昇させる機能を備えた環境試験装置であって、ランプは給電部が形成された口金部を有し、少なくとも口金部が冷却室内に配置されていることを特徴とする請求項１に記載の環境試験装置である。
【００１６】
本発明の環境試験装置で採用するランプは赤外線ランプであり、発する光は赤外光である。そのため被試験物表面の温度を上昇させることができる。
本発明の環境試験装置では、ランプの少なくとも口金部が冷却室内に配置されている。そのためバルブの電線導入部は、試験室の温度の影響を受けにくい。
【００１７】
請求項３に記載の発明は、冷却手段を有し、冷却室が冷却手段によって冷却されることを特徴とする請求項１又は２に記載の環境試験装置である。
【００１８】
冷却手段は、冷凍機を備えるものであることが望ましいが、外気を導入することによって冷却室内の温度を常温に維持するものであってもよい。
本発明の環境試験装置では、冷却室の温度上昇が冷却手段によって抑制されるので、バルブの電線導入部の温度変化が比較的小さく、ランプの故障が少ない。
【００１９】
請求項４に記載の発明は、冷却手段は換気手段を有し、当該換気手段によって冷却室内の空気が置換されて冷却室内が冷却されることを特徴とする請求項３に記載の環境試験装置である。
【００２０】
本発明の環境試験装置では、冷却手段によって冷却室内の空気が入れ代わるので、冷却室内に熱がこもりにくい。
【００２１】
請求項５に記載の発明は、冷却室外に冷却手段があり、冷却室と冷却手段が環状に連結され、冷却室と冷却手段の間で空気が循環することを特徴とする請求項１乃至４のいずれかに記載の環境試験装置である。
【００２２】
本発明によると、冷却室内を効率良く冷却することができる。
【００２３】
請求項６に記載の発明は、ランプの点灯時に冷却室内が冷却手段によって冷却されることを特徴とする請求項１乃至５のいずれかに記載の環境試験装置である。
【００２４】
本発明によると、冷却室内が無駄に冷却されることがないので、効率がよい。
【００２５】
請求項７に記載の発明は、冷却室内の圧力は、試験室内の圧力に対して正圧であることを特徴とする請求項１乃至６のいずれかに記載の環境試験装置ある。
【００２６】
本発明によると、試験室内の高温の空気が冷却室側に侵入しにくい。そのため冷却室内の温度を一定以下に維持することができる。
【００２７】
請求項８に記載の発明は、ランプは給電部に口金部があり、バルブの形状は、口金部の径が小さく、先端側がしだいに拡径して膨出部を構成し、バルブの先端面が発光面となっており、冷却室の試験室側にはランプを装着する開口があり、当該開口にはランプのバルブの側面と接する封止部材があり、冷却室内であって前記開口の奥には口金部と嵌合するソケットが設けられており、ランプの口金部側を試験室側から前記開口に挿入してソケットに口金部を嵌合してランプを冷却室に取り付け可能であり、ランプが取り付けられた状態においては、ランプのバルブの側面が封止部材と密接してバルブと開口の隙間が封鎖されることを特徴とする請求項１乃至７のいずれかに記載の環境試験装置である。
【００２８】
本発明の環境試験装置では、ランプは、口金部分が細く、正面の発光部の面積が広い。  本発明では、冷却室の試験室側にランプを装着する開口があり、開口の奥には口金と嵌合するソケットが設けられている。そのため試験室側から開口にランプの口金を挿入し、ランプを装着することができる。
また冷却室の開口にはランプのバルブの側面と接する封止部材があり、ランプが取り付けられた状態においては、ランプのバルブの側面が封止部材と密接してバルブと開口の隙間が封鎖される。本発明の環境試験装置では、冷却室と試験室との間の気密性が確保される。そのため冷却室内の冷気が試験室側に漏れて、試験室の温度を低下させたり、試験室内に温度ばらつきを生じさせる懸念が少ない。
また試験室内の高温の空気が冷却室側に流れ込むことも防ぐことができる。
【００２９】
試験室に対して独立した筐体を有し、前記筐体内に前記冷却室が設けられており、前記筐体が試験室内に配置されているものであってもよい（請求項９）。
【００３０】
ランプユニットに関する発明は、環境試験装置の試験室内に配され、試験室内の被試験物に光を照射するランプユニットであって、筐体と、ランプを有し、前記筐体内に冷却室があり、前記ランプは、給電部と、バルブを有し、給電部からバルブ内に給電して発光させ、少なくともバルブの先端面から光を放出するものであり、前記ランプの少なくとも給電部が冷却室内に配置され、前記ランプの少なくともバルブの先端面は冷却室外に露出していることを特徴とする。
【００３１】
既存の環境試験装置や、既存設計の環境試験装置の試験室に、本発明のランプユニットを設置することにより、所望の環境下で被試験物に光を照射することができる。
また本発明によると、ランプが故障しにくい。
【発明の効果】
【００３２】
本発明の環境試験装置及びランプユニットによると、被試験物に光を照射するランプが故障しにくい。
【図面の簡単な説明】
【００３３】
【図１】本実施形態の環境試験装置を概念的に表した断面図である。
【図２】図１の環境試験装置の使用方法を説明する冷却室及びランプの断面斜視図である。
【図３】図１の環境試験装置の冷却室の一部分解断面斜視図である。
【図４】図１の環境試験装置の冷却室の断面図及びランプの側面図である。
【図５】図１の環境試験装置の冷却室のランプ挿入口近傍の断面図である。
【図６】図１の環境試験装置で採用するランプの断面図である。
【図７】本発明の他の実施形態の環境試験装置を概念的に表した断面図である。
【図８】本発明のさらに他の実施形態の環境試験装置を概念的に表した断面図である。
【発明を実施するための形態】
【００３４】
以下さらに本発明の実施形態について説明する。
本実施形態の環境試験装置１は、例えば屋外環境や、自動車の室内、閉めきられた状態の家屋、閉めきられた状態の倉庫内等の環境を人工的につくり出すものであり、恒温恒湿装置に、ランプ群３０を組み合わせたものである。
【００３５】
本実施形態の環境試験装置１は、図１に示す様に、断熱壁２によって覆われた断熱槽３を有している。そして断熱槽３の中が、試験室５と、空調部１５と、冷却室２０に区切られている。試験室５を中心として説明すると、図１の様に試験室５の上部に冷却室２０があり、試験室５の水平方向奥側に空調部１５がある。
【００３６】
断熱槽３は、図１に示す様に、断熱壁２によって覆われた筐体である。断熱槽３の中には、垂直方向に設けられた仕切り壁２２があり、当該仕切り壁２２によって、断熱槽３内が、試験室５と空調部１５に仕切られている。
試験室５は、被試験物１８を設置する空間である。試験室５の正面には、開閉扉２６が設けられている。
【００３７】
空調部１５は、試験室５と連通する空調通風路を構成する空間であり、内部に空調機器１７と送風機１０を備えている。空調機器１７は、加湿装置６、冷却装置７及び加熱装置８によって構成されている。
空調部１５は、断熱槽３の一部に形成され、空気吹き出し部１６と空気導入部２５の２箇所で試験室５と連通している。
そのため送風機１０を起動すると、試験室５内の空気が空気導入部２５から空調部１５内に導入される。そして空調部１５が通風状態となり、空調機器１７に空気が接触して熱交換や湿度調整がなされ、空気吹き出し部１６から試験室５内に調整後の空気が吹き出される。
また空調部１５の空気吹き出し部１６の近傍に、温度センサー１２と湿度センサー１３が設けられている。
環境試験装置１を使用する際には、送風機１０を運転して空調部１５内を通風状態とし、温度センサー１２及び湿度センサー１３の検出値が、設定環境の温度及び湿度に近づく様に空調機器１７を制御する。
【００３８】
即ち送風機１０を運転することによって、空気導入部２５から試験室５内の空気が空調部１５に導入され、空調部１５内の空調機器１７を通過して温度・湿度が整えられる。そして温度・湿度を調整された空気が、空気吹き出し部１６から試験室５に戻され、試験室５内に所望の温度・湿度の環境が作られる。
【００３９】
冷却室２０は、図１の様に試験室５の上部に設置されている。冷却室２０と試験室５との間は、天井壁３２で仕切られている。天井壁３２は断熱構造であることが望ましい。
天井壁３２には、図１、図２の様に複数のランプ挿入口３３が設けられている。ランプ挿入口３３は、ランプ３１を装着する開口である。
天井壁３２のランプ挿入口３３には図３、図４、図５の様に封止部材取り付け座３７があり、当該封止部材取り付け座３７に封止部材３６が設けられている。
封止部材取り付け座３７は、図３、図４の様に、天井壁３２から下側に向かって突出する全長が短い筒状体であり、中心に貫通孔４０があり、先端にフランジ３８が形成されている。即ち封止部材取り付け座３７は、筒軸部４２の先端にフランジ３８が設けられたものである。
【００４０】
封止部材３６は、例えばシリコン樹脂の様な耐熱性が高く、柔軟性がある樹脂で作られたものである。
封止部材３６は、封止部材取り付け座３７をすっぽりと覆う形状となっている。
封止部材３６は、図４の様に薄い表皮で作られており、内部は空洞である。封止部材３６の断面形状は、図４の様にその内面が封止部材取り付け座３７と接する形状となっている。
具体的には、封止部材取り付け座３７の筒軸部４２に密着する筒部４５と、フランジ３８を覆うフランジ包囲部４６を有している。
フランジ包囲部４６の表面には開口４８が設けられている。開口４８の径は、封止部材取り付け座３７の貫通孔４０の開口径よりも小さい。
【００４１】
冷却室２０と試験室５との間には、前記した様に天井壁３２があり、当該天井壁３２には、前記したランプ挿入口３３を除いて実質的な開口はなく、冷却室２０は試験室５から隔離されている。
冷却室２０内であって、ランプ挿入口３３の開口の奥には、図２、図３、図４、図５の様にソケット３５が配されている。
本実施形態では、ソケット３５は、図５の様に支持部材４３によって天井壁３２に取り付けられている。
ただし、ソケット３５そのものは、各図の様に、天井壁３２からも断熱槽３からも離れている。
【００４２】
図１の様に冷却室２０には、二つの空気導入口５０ａ、５０ｂと、排気口５１がある。本実施形態では、二つの空気導入口５０ａ、５０ｂは冷却室２０の両側にあり、排気口５１は冷却室２０の中央にある。
【００４３】
断熱槽３の外部には、冷却装置（冷却手段）５２がある。
冷却装置５２は、内部に冷却器（冷凍機の蒸発器）５３と、送風機（換気手段）５５及びフィルター５７を有している。
冷却装置５２は、外気導入口７０と、内気導入口７１と、排気口７２を有している。
そして図１の様に、送風機５５の吸引側に外気導入口７０と内気導入口７１がある。また外気導入口７０の近傍にフィルター５７があり、フィルター５７と送風機５５の吸引側の間に内気導入口７１が設けられている。
また送風機５５の吐出側には冷却器５３があり、さらにその下流側に排気口７２がある。
【００４４】
図１の様に、冷却室２０の排気口５１が冷却装置５２の内気導入口７１に接続され、冷却装置５２の排気口７２が分岐されて冷却室２０の二つの空気導入口５０ａ、５０ｂに接続されている。その結果、冷却装置（冷却手段）５２と冷却室２０の間で２系統の環状通風路が形成されている。
冷却装置５２の送風機５５を起動することによって、冷却室２０内の空気が冷却装置５２を含む２系統の環状通風路を循環する。その結果、冷却室２０内が換気され、冷却室２０内の温度が下げられる。
また本実施形態では、冷却装置５２に外気導入口７０が設けられており、外気導入口７０は送風機５５の吸引側にあるから、外気が循環風量に追加され、冷却室２０内は、常に正圧傾向となる。
【００４５】
また冷却室２０内には温度センサー５６が設けられており、冷却室２０内の温度が一定温度を超えると、冷凍機が起動し、冷却器（冷凍機の蒸発器）５３によって冷却装置５２を通過する空気が冷却され、その空気が冷却室２０に供給されて冷却室２０内の温度が一定以下に保たれる。
さらに本実施形態では、冷却装置５２の駆動は、ランプ３１の起動と連動し、ランプ３１の点灯時に冷却室２０内が冷却装置（冷却手段）５２によって冷却される。
ランプ３１が消灯すると冷却装置５２も停止する。
【００４６】
ランプ３１は、例えばアイランプ（登録商標）と称される形態のランプであり、赤外光を発する公知のリフレクターランプである。
ランプ３１は、図６の様に、ガラスで作られたフラスコ状のバルブ５８と、ネジが形成された口金部（給電部）６０を有している。
バルブ５８の内部には不活性ガスが封入されている。
バルブ５８の形状は、公知のランプと同じであり、口金部６０の径が小さく、先端側がしだいに拡径して膨出部を構成している。バルブ５８の内面には正面を除いて反射塗料６３が塗布されており、バルブの先端面６５が発光面となっている。
【００４７】
バルブ５８の内部にフィラメント６１があり、フィラメント６１と繋がる内部導電線６２がバルブ５８を貫通して外部導電線６７となり、口金部６０に接続されている。
口金部（給電部）６０に給電すると、バルブ５８のフィラメント６１が赤熱し、赤外光（赤外線）を発生させ、バルブの先端面６５から光が照射される。
【００４８】
本実施形態では、ランプ３１は、図２の様に、試験室５側から天井壁３２のランプ挿入口３３に口金部６０側から挿入され、冷却室２０内に設置されたソケット３５に口金部６０を嵌合させて装着される。
ランプ３１が装着された状態における断面図は図５の通りであり、口金部６０の全体と、バルブ５８の約３分の２が冷却室２０内にある。
その一方、バルブ５８の先端面６５を含んでバルブ５８の約３分の１は、冷却室２０外に露出している。
【００４９】
前記した様にランプ挿入口３３には封止部材３６があり、封止部材３６のフランジ包囲部４６の開口４８の径は、封止部材取り付け座３７の貫通孔４０の開口径よりも小さい。そのため図５の様にランプ３１のバルブ５８の側面に、封止部材３６の開口４８の開口端が密接し、バルブ５８とランプ挿入口３３との間の隙間が封鎖されている。
そのためランプ３１が装着された状態においては、冷却室２０と、試験室５の間は、実質的に気密性が確保されている。
【００５０】
次に環境試験装置１の機能について説明する。
本実施形態の環境試験装置は、例えば炎天下に駐車した場合の車内の環境を再現するものである。
環境試験の準備段階として、例えばインストルメントパネル等の自動車内装品を被試験物１８とし、当該被試験物１８を試験室５内に設置する。
また被試験物１８の近傍に、非接触式の温度センサー６６を設置し、温度センサー６６によって被試験物１８の表面温度を検知する。
【００５１】
そして空調部１５内の送風機１０と空調機器１７を駆動し、試験室５内を高温環境に調節する。具体的には送風機１０を運転して空調部１５内を通風状態とし、温度センサー１２及び湿度センサー１３の検出値が、設定環境の温度及び湿度に近づく様に空調機器１７を制御する。
例えば、試験室５内の温度が、炎天下に駐車した場合の車内の温度と同等の温度（例えば摂氏８０度）となる様に、空調機器１７を制御する。
また本実施形態の環境試験装置１は、加湿装置６を備えていて加湿機能を有するので、必要に応じて試験室５内を高湿度環境とすることができる。
【００５２】
試験室５内の環境が整うと、各ランプ３１を点灯し、被試験物１８に赤外光を放射して被試験物１８の表面温度を上昇させる。同時に被試験物１８の近傍に設けられた温度センサー６６の検知温度を監視し、被試験物１８の表面が目標温度となる様に、各ランプ３１の照度や点灯数、点灯時間等を制御する。
【００５３】
本実施形態の環境試験装置１では、ランプ３１は、バルブ５８の先端面６５側が試験室５内に露出している。
ランプ３１は、リフレクターランプであり、先端面６５から前方に向かってのみ光を放射するものであり、バルブ５８の側面や背面側から光は出ない。本実施形態の環境試験装置１では、バルブ５８の側面の一部が冷却室２０側に隠れることとなるが、前記した様に、採用するランプ３１は先端面６５からのみ光を放射するものであるから、光が無駄なく試験室５側に放射され、被試験物１８にあてられる。
ランプ３１は、先端面６５が最も高温となるが、当該高温部分が試験室５内に露出しているから、ランプ３１の発熱が試験室５内を高温に維持することに寄与し、環境試験装置１全体の電力消費量を低減することができる。
【００５４】
この様に本実施形態の環境試験装置１によると、バルブ５８の先端面が冷却室２０外にあるから、バルブ５８の表面の温度によって、試験室５内が昇温され、試験室５の温度維持に寄与する。
【００５５】
またランプ３１の点灯と連動して冷却装置５２が起動し、送風機５５が駆動して冷却室２０内が換気される。冷却室２０内の温度が上昇すると、冷凍機が起動し、冷却器５３に相変化する冷媒が供給されて冷却器５３の表面温度が低下し、冷却装置５２から冷却室２０に供給される空気の温度が下げられる。
【００５６】
そのためランプ３１の口金部（給電部）６０の温度が過剰に高温となることはなく、バルブ５８と導電線６２、６７との熱膨張率の相違に起因する隙間は生じにくくバルブ内にバルブ外の空気が流れ込みにくい。そのため本実施形態の環境試験装置１では、ランプ３１の寿命が長い。
またランプ３１が故障した際には、ランプ３１の試験室５に露出した部位を手で回転して、ソケット３５との嵌合を解消し、ランプ３１を取り外すことができるから、簡単にランプ３１の取り替えを行うことができる。
この様に本実施形態の環境試験装置１では、ランプ３１のバルブ５８の先端面が冷却室２０外にあって試験室５内に露出している。そのため試験室５側からランプを取り外すことができ、ランプの取り替えが容易である。
【００５７】
また本実施形態では、ランプ３１の最も高温となる部分（バルブ５８の先端面６５）は、冷却室２０の外にあるから、冷却室２０の温度はそもそもそれほど高くなることはなく、冷凍機は小型の物で足る。また消費電力も少なくて済む。
【００５８】
この様に本実施形態の環境試験装置１では、冷却室２０にはランプ３１の一部だけがあり、さらに最も高熱となるバルブ５８の先端部分は、試験室５側に露出している。そのため、ランプ３１全体を冷却室２０に入れる場合に比べ、冷却室２０の温度を維持するのに要する冷熱量が少なくて足る。
【００５９】
本実施形態では、冷却室２０内が試験室５に対して正圧傾向に保たれているから、試験室５内の高温の空気が冷却室２０内に混入しにくい。そのため冷凍機は単にランプ３１の口金部６０の近傍の熱を奪うだけの容量で足り、小型であって消費電力も少ない。
【００６０】
以上説明した実施形態では、冷却室２０を冷却する冷却装置（冷却手段）５２として、冷凍機を有するものを例示した。しかしながら、前記した様に冷却室２０の温度はそもそもそれほど高くなることはないから、図７に示す環境試験装置８０の様に、換気用の送風機８１だけを有する構成とすることも可能である。
図７に示した環境試験装置８０について、他の構成は前記した実施形態と同一であるから、同一の部材に同一の番号を付して重複した説明を省略する。
【００６１】
また以上説明した実施形態では、断熱槽３の一部に冷却室２０を設け、断熱槽３の内壁を冷却室２０の一部としたが、図８に示す環境試験装置８２の様に冷却室２０とランプ３１を独立したランプユニット８５としてもよい。
図８に示した環境試験装置８２では、試験室５内に独立した箱（筐体）８３を設置して冷却室２０としている。この場合には、箱８３を断熱構造とすることが望ましい。
図８に示すランプユニット８５は、試験室５内に配されるものであり、被試験物１８に光を照射する機能を有している。ランプユニット８５は、箱（筐体）８３とランプ３１を有し、箱（筐体）８３内に冷却室２０がある。
箱８３に取り付けられたランプ３１は、バルブ５８の先端部分が箱８３から露出している。
【００６２】
図８に示した環境試験装置８２は、冷却室２０とランプ３１がユニット化されたものであり、試験室５内に独立した箱（筐体）８３があり、その箱８３の内部が冷却室２０となっている点を除いて前記した実施形態と同一であるから、同一の部材に同一の番号を付して重複した説明を省略する。
ランプユニット８５は、既存の環境試験装置や、既存設計の環境試験装置に取り付けることもできる。
【００６３】
以上説明した実施形態では、ランプ３１として赤外線ランプを採用したが、太陽光線により近づけるために、ランプ群３０に紫外線ランプや、可視光を発するランプを混ぜてもよい。
また全てを紫外線ランプや、可視光を発するランプに置き換えてもよい。
【００６４】
以上説明した実施形態では、ランプ３１は、口金が回し込み型のものを採用したが、差し込み型の様な他の構造のものであってもよい。
以上説明した実施形態では、冷却室２０内の圧力が試験室５内の圧力に比べて高くなる様に調整したが、本発明は、この構成に限定されるものではなく、両者の圧力が等しくてもよく、試験室５の方が高くてもよい。
【００６５】
以上説明した実施形態では、ランプ挿入口３３に封止部材３６を設けたが、封止部材３６の形状や取り付け位置は、実施形態に限定されるものではない。
【００６６】
また本発明は、封止部材３６を省略した構成を否定するものではない。
以上説明した実施形態では、空調機器１７として加湿装置６、冷却装置７及び加熱装置８を有しているが、必ずしもこの全てを備えている必要はない。例えば加湿機能を有しないものであってもよい。
以上説明した実施形態では、断熱槽３の中が試験室５と空調部１５に仕切られているが、試験室５を構成する断熱槽と、空調部が別体であってもよい。
【符号の説明】
【００６７】
１、８０、８２  環境試験装置
５  試験室
１５  空調部
２０  冷却室
３１  ランプ
３２  天井壁
３３  ランプ挿入口
３５  ソケット
３６  封止部材
３７  封止部材取り付け座
５２  冷却装置（冷却手段）
５５  送風機（換気手段）
６０  口金部（給電部）
６１  フィラメント
６５  先端面
８３  箱（筐体）
８５  ランプユニット
【図１】
2018194338.tif 000003
【図２】
2018194338.tif 000004
【図３】
2018194338.tif 000005
【図４】
2018194338.tif 000006
【図５】
2018194338.tif 000007
【図６】
2018194338.tif 000008
【図７】
2018194338.tif 000009
【図８】
2018194338.tif 000010